(57)【要約】【課題】本発明の目的は、記憶機器の端子と、この記憶機器の端子と接触して情報の入出力又は電力を供給する端子と、の間の電気的な接触を確実に行うことができるカード処理装置を提供することである。【解決手段】本発明のカード処理装置１は、メモリーカード１０１を出し入れ可能な開状態と、メモリーカード１０１の出し入れができない閉状態との２つの状態を有し、開状態において、メモリーカード１０１のメモリーカード側端子１０３との接触状態が第１の接触状態となり、閉状態において、メモリーカード１０１のメモリーカード側端子１０３と接触状態が第２の接触状態となるカード処理装置側端子１７を有し、第２の接触状態において、少なくともカード処理装置側端子１７と接続状態であり、開状態と閉状態間の状態変化によって、メモリーカード１０１又はカード処理装置側端子１７を移動させる。【選択図】図１
2011221633.tif 000002
【特許請求の範囲】
【請求項１】
記憶機器を出し入れ可能な開状態と、前記記憶機器の出し入れができない閉状態との２つの状態を有し、
前記開状態において、前記記憶機器の記憶機器側端子との接触状態が第１の接触状態となり、前記閉状態において、前記記憶機器の記憶機器側端子と接触状態が第２の接触状態となるカード処理装置側端子を有し、
前記第２の接触状態において、少なくとも前記記憶機器と接続状態であり、
前記開状態と前記閉状態間の状態変化によって、前記記憶機器又は前記カード処理装置側端子を移動させる
カード処理装置。
【請求項２】
ケースと、
前記ケースに設けられた蓋部と、を有し、
前記蓋部が前記ケースと離間して記憶機器を出し入れ可能な開位置をとることによって前記開状態となり、前記ケースと密着して前記記憶機器を出し入れ不可能な閉位置をとることによって前記閉状態となる
請求項１に記載のカード処理装置。
【請求項３】
前記ケースは、前記記憶機器を載置可能な収納部を含むテーブル部を有し、
前記テーブル部の前記収納部には、前記記憶機器の前記記憶機器側端子と接触するカード処理装置側端子が挿入される端子溝部が形成され、
前記収納部は、
前記記憶機器を一定方向に摺動して往復動可能とするために前記記憶機器よりも摺動方向に長く形成されており、
前記蓋部が前記開状態から前記閉状態へと遷移することによって、前記記憶機器を第１の方向に摺動させ、
前記蓋部が前記閉状態から前記開状態へと遷移することによって、前記記憶機器を前記第１の方向とは反対である第２の方向に摺動させ、
前記カード処理装置側端子は、
前記記憶機器が摺動によって移動することによって、前記端子溝部を相対的に摺動し、
前記記憶機器が前記第１の方向に摺動したことによって、前記記憶機器側端子と前記第２の接触状態となり、
前記記憶機器が前記第２の方向に摺動したことによって、前記記憶機器側端子と前記第１の接触状態となる
請求項２に記載のカード処理装置。
【請求項４】
前記開状態と前記閉状態との間に中間状態とを有し、
前記中間状態は、前記蓋部が前記ケースに密着しているが、前記記憶機器の前記記憶機器側端子との接触状態が前記第１の接触状態であり、
前記蓋部を摺動させて前記第１の方向に摺動させることによって、前記記憶機器の前記記憶機器側端子との接触状態が前記第１の接触状態から前記第２の接触状態に遷移する
請求項３に記載のカード処理装置。
【請求項５】
前記蓋部には、前記記憶機器を押し出す蓋部押出用突起部が設けられ、
前記蓋部押出用突起部は、前記蓋部が前記中間状態から前記閉状態への摺動移動によって、前記記憶機器に当接して摺動方向に押し出す
請求項４に記載のカード処理装置。
【請求項６】
前記ケースは、前記記憶機器を載置可能な収納部を含むテーブル部を有し、
前記テーブル部の前記収納部には、前記記憶機器の前記記憶機器側端子と接触するカード処理装置側端子が挿入される端子溝部が形成され、
前記テーブル部は、
一定方向に摺動して往復動可能に形成され、
前記蓋部が前記開状態から前記閉状態へと遷移することによって第１の方向に摺動し、
前記蓋部が前記閉状態から前記開状態へと遷移することによって前記第１の方向とは反対である第２の方向に摺動し、
前記カード処理装置側端子は、
前記テーブル部が摺動によって移動することによって、前記端子溝部を相対的に摺動し、
前記テーブル部が前記第１の方向に摺動したことによって、前記記憶機器側端子と前記第２の接触状態となり、
前記テーブル部が前記第２の方向に摺動したことによって、前記記憶機器側端子と前記第１の接触状態となる
請求項２に記載のカード処理装置。
【請求項７】
前記開状態と前記閉状態との間に中間状態とを有し、
前記中間状態は、前記蓋部が前記ケースに密着しているが、前記記憶機器の前記記憶機器側端子との接触状態が前記第１の接触状態であり、
前記蓋部を摺動させて前記第１の方向に摺動させることによって、前記記憶機器の前記記憶機器側端子との接触状態が前記第１の接触状態から前記第２の接触状態に遷移する
請求項６に記載のカード処理装置。
【請求項８】
前記テーブル部は、前記収納部に隣接して設けられたカード処理装置側端子収容部を有し、
前記カード処理装置側端子は、
前記開状態では、前記収納部に隣接して設けられたカード処理装置側端子収容部内に位置して、前記記憶機器の前記記憶機器側端子との接触状態が前記第１の接触状態となり、
前記開状態から閉状態に遷移すると、カード処理装置側端子収容部内から摺動移動して前記収納部内に移動して、前記記憶機器の前記記憶機器側端子との接触状態が前記第２の接触状態となる
請求項７に記載のカード処理装置。
【請求項９】
前記ケースは、前記記憶機器を載置可能な収納部を含むスライドトレー部を摺動可能に保持するテーブル部を有し、
前記スライドトレー部の前記収納部には、前記記憶機器の前記記憶機器側端子と接触するカード処理装置側端子が挿入される端子溝部が形成され、
前記スライドトレー部は、
一定方向に摺動して往復動可能に形成されており、
前記蓋部が前記開状態から前記閉状態へと遷移することによって、前記スライドトレー部を第１の方向に摺動させ、
前記蓋部が前記閉状態から前記開状態へと遷移することによって、前記スライドトレー部を前記第１の方向とは反対である第２の方向に摺動させ、
前記カード処理装置側端子は、
前記スライドトレー部が摺動によって移動することによって、前記端子溝部を相対的に摺動し、
前記スライドトレー部が前記第１の方向に摺動したことによって、前記記憶機器側端子と前記第２の接触状態となり、
前記スライドトレー部が前記第２の方向に摺動したことによって、前記記憶機器側端子と前記第１の接触状態となる
請求項８に記載のカード処理装置。
【請求項１０】
前記開状態と前記閉状態との間に中間状態とを有し、
前記中間状態は、前記蓋部が前記ケースに密着しているが、前記記憶機器の前記記憶機器側端子との接触状態が前記第１の接触状態であり、
前記蓋部を摺動させて前記第１の方向に摺動させることによって、前記記憶機器の前記記憶機器側端子との接触状態が前記第１の接触状態から前記第２の接触状態に遷移する
請求項９に記載のカード処理装置。
【請求項１１】
前記テーブル部は、前記収納部に隣接して設けられたカード処理装置側端子収容部を有し、
前記カード処理装置側端子は、
前記開状態では、前記収納部に隣接して設けられたカード処理装置側端子収容部内に位置して、前記記憶機器の前記記憶機器側端子との接触状態が前記第１の接触状態となり、
前記開状態から閉状態に遷移すると、カード処理装置側端子収容部内から摺動移動して前記収納部内に移動して、前記記憶機器の前記記憶機器側端子との接触状態が前記第２の接触状態となる
請求項１０に記載のカード処理装置。
【請求項１２】
前記ケースは、前記記憶機器を載置可能な収納部を含むテーブル部を有し、
前記テーブル部の前記収納部には、前記記憶機器の前記記憶機器側端子と接触するカード処理装置側端子が挿入される端子溝部が形成され、
前記カード処理装置側端子は、
一定方向に摺動して往復動可能に形成されており、
前記蓋部が前記開状態から前記閉状態へと遷移することによって、前記カード処理装置側端子を第１の方向に摺動させ、
前記蓋部が前記閉状態から前記開状態へと遷移することによって、前記カード処理装置側端子を前記第１の方向とは反対である第２の方向に摺動させ、
前記カード処理装置側端子は、
前記カード処理装置側端子が摺動によって移動することによって、前記端子溝部を相対的に摺動し、
前記カード処理装置側端子が前記第１の方向に摺動したことによって、前記記憶機器側端子と前記第２の接触状態となり、
前記カード処理装置側端子が前記第２の方向に摺動したことによって、前記記憶機器側端子と前記第１の接触状態となる
請求項２に記載のカード処理装置。
【請求項１３】
ケースと、
前記ケースに設けられ、前記ケースから引き出し可能に形成されたテーブル部と、を有し、
前記テーブル部が前記ケースから引き出されて記憶機器を出し入れ可能な開位置をとることによって前記開状態となり、前記ケース内に押し込まれて前記記憶機器を出し入れ不可能な閉位置をとることによって前記閉状態となる
請求項１に記載のカード処理装置。
【請求項１４】
前記記憶機器側端子又は前記カード処理装置側端子の複数の端子は、前記第１の方向にずれて配置されている
請求項３〜１３に記載のカード処理装置。
【発明の詳細な説明】
【技術分野】
【０００１】
本発明は、各種の記憶機器にデータの入出力を行うためのカード処理装置に関する。
【背景技術】
【０００２】
特許文献１には、ダブルインターフェースを有するメモリーカードの変換カード処理装置が記載されている。
また、特許文献２には、複数のスロットを有するカード処理装置が記載されている。
【先行技術文献】
【特許文献】
【０００３】
【特許文献１】特開２００１―１６６８５８号公報
【特許文献２】特開２００１―１８４４６３号公報
【発明の概要】
【発明が解決しようとする課題】
【０００４】
しかしながら、特許文献１及び２に記載の方法においては、メモリーカードの端子とこの端子と接触する端子との間にゴミ等が付着して電気的な接触を阻害してしまうおそれがあるという不利益がある。
【０００５】
本発明の目的は、記憶機器の端子と、この記憶機器の端子と接触して情報の入出力又は電力を供給する端子と、の間の電気的な接触を確実に行うことができるカード処理装置を提供することにある。
【課題を解決するための手段】
【０００６】
本発明のカード処理装置は、記憶機器を出し入れ可能な開状態と、前記記憶機器の出し入れができない閉状態との２つの状態を有し、前記開状態において、前記記憶機器の記憶機器側端子との接触状態が第１の接触状態となり、前記閉状態において、前記記憶機器の記憶機器側端子と接触状態が第２の接触状態となるカード処理装置側端子を有し、前記第２の接触状態において、少なくとも前記記憶機器と接続状態であり、前記開状態と前記閉状態間の状態変化によって、前記記憶機器又は前記カード処理装置側端子を移動させる。
【発明の効果】
【０００７】
本発明によると、記憶機器の端子と、この記憶機器の端子と接触して情報の入出力又は電力を供給する端子と、の間の電気的な接触を確実に行うことができるカード処理装置を提供することができる。
【図面の簡単な説明】
【０００８】
【図１】本発明の実施形態に係るカード処理装置の外観を示す斜視図である。
【図２】本実施形態のカード処理装置の外観を説明する説明図である。
【図３】蓋部を除去したケースの正面図である。
【図４】図３のテーブル部にメモリーカードが挿入された状態を説明する説明図である。
【図５】図４のＶ−Ｖにおける断面図である。
【図６】カード処理装置が中間状態にある状態を記載したものである。
【図７】本発明の効果の説明図である。
【図８】カード処理装置の信号処理系を示すブロック図である。
【図９】より好適なカード処理装置側端子の配置の説明図である。
【図１０】カード処理装置の第２の実施形態の説明図である。
【図１１】第２の実施形態におけるカード処理装置の動作の説明図である。
【図１２】第２の実施形態におけるカード処理装置の動作の説明図である。
【図１３】第２の実施形態の変形例の説明図である。
【図１４】図１３の第２の実施形態の変形例の一例を具体的に説明する図である。
【図１５】カード処理装置の第３の実施形態の説明図である。
【図１６】第３の実施形態におけるカード処理装置の動作の説明図である。
【図１７】第３の実施形態におけるカード処理装置の動作の説明図である。
【図１８】第４の実施形態の説明図である。
【図１９】第５の実施形態の説明図である。
【図２０】第６の実施形態の説明図である。
【図２１】第７の実施形態の説明図である。
【発明を実施するための形態】
【０００９】
以下、発明を実施するための最良の形態（以下実施形態とする）について説明する。
なお、説明は以下の順序で行う。
１．カード処理装置１の第１の実施形態の説明
２．カード処理装置１の第２の実施形態の説明
３．カード処理装置１の第３の実施形態の説明
４．カード処理装置１の第４の実施形態の説明
５．カード処理装置１の第５の実施形態の説明
６．カード処理装置１の第６の実施形態の説明
７．カード処理装置１の第７の実施形態の説明
【００１０】
＜１．カード処理装置１の第１の実施形態の説明＞
図１は、本発明の実施形態に係るカード処理装置１の外観を示す斜視図である。
【００１１】
図１（ａ）のように、カード処理装置１は、蓋部３及びケース５から構成されている。
蓋部３とケース５は、連結部７によって連結されている。具体的には、ケース５の一側辺を回転中心として蓋部３が回転するように構成されている。
なお、蓋部３とケース５との連結方法、動作については、図６のところで詳説する。
【００１２】
カード処理装置１は、蓋部３とケース５とが連結部分のみで接触している状態で有る開状態をとることが可能である。
また、カード処理装置１は、蓋部３とケース５とが面接触しており、かつ、そのまま直ちに蓋部３とケース５とが離間した開状態をとることができない、閉状態をとることが可能である。
さらに、カード処理装置１は、開状態と閉状態との間に、蓋部３とケース５とが面接触しているが、そのまま直ちに蓋部３とケース５とが離間した開状態をとることができる、中間状態をとることが可能である。
ここで、開状態とは図１（ａ）の状態であり、中間状態とは図１（ｂ）の状態であり、閉状態とは図１（ｃ）の状態が該当する。
また、開状態とは、メモリーカード１０１を出し入れ可能な状態をいい、この開状態では、カード処理装置１はメモリーカード１０１とは情報信号の入出力・電源の供給等を行わない。
他方、閉状態とは、メモリーカード１０１を出し入れ不可能な状態をいい、この閉状態では、カード処理装置１はメモリーカード１０１とは情報信号の入出力・電源の供給等を行う。
【００１３】
図１（ａ）のように、ケース５の蓋部３とケース５とが面接触する面には、各種のメモリーカード等を収納可能な収納部１１が形成されたテーブル部９を有する。
収納部１１は、複数の種類のメモリーカード１０１に対応する為にそれぞれのメモリーカード１０１に対応した形状を有する。
具体的には、それぞれの収納部１１が収納するべきメモリーカード１０１よりも摺動方向について長く、他の部分はメモリーカード１０１よりも僅かに大きく形成されている。
つまり、収納部１１は、対応するメモリーカード１０１が挿入された場合に、メモリーカード１０１を摺動方向には移動可能としつつ他の方向には移動できないように構成されている。
なお、摺動方向とは、図４で詳説するが、連結部７が位置する方向をいう。
【００１４】
ここで、テーブル部９にこのように、収納部１１を複数設けなければならない理由を説明する。
現在、記憶機能を有するメモリーカード１０１は複数種類ユーザに提供されており、今後も、その種類は、メモリーカード１０１の用途等に応じるために増加する可能性が高い。
これらの複数のメモリーカード１０１に対応するためには、複数の種類のメモリーカード１０１に対応する収納部１１が必要であるからである。
【００１５】
ケース５の連結部７が設けられているのとは反対側の側面位置には、スロット部１３が配置されている。
本来は、スロット部１３に挿入されるメモリーカード１０１もテーブル部９の収納部１１に収納されるべきものである。
しかし、厚さ等の問題で、テーブル部９に収納部１１を設けることができないメモリーカード１０１と情報通信・電力供給するためにスロット部１３が設けられている。
したがって、そのようなメモリーカード１０１との情報通信等を行わない場合、又は、そのようなメモリーカード１０１用の収納部１１をテーブル部９に設ける場合には、スロット部１３は不要である。
【００１６】
メモリーカード１０１から出力された情報通信は、ＵＳＢコード１５によって各種の電子機器に提供される。
逆に、各種の電子機器からＵＳＢコード１５を介して与えられた情報信号が、メモリーカード１０１に入力される。
ここで、各種の電子機器とは、たとえば、パーソナルコンピュータ、ノートパソコン、カメラ、テレビジョン、プリンター、ＰＤＡ、携帯電話機等である。
【００１７】
図１（ａ）の開状態から、蓋部３を、連結部７を中心に回転させてケース５と密接状態にした状態が、図１（ｂ）の中間状態である。
この中間状態から、さらに、蓋部３を摺動方向（連結部７が位置する方向）に摺動（スライド）したことによって、図１（ｃ）の閉状態となる。
なお、図１（ｃ）の閉状態では、蓋部３とケース５とは完全に重畳している。
一方、中間状態では、蓋部３とケース５とずれて重畳しており、摺動方向の反対側に蓋部３が張り出した状態となっている。
【００１８】
図２は、本実施形態のカード処理装置１の外観を説明する説明図である。
【００１９】
図２（ａ）は、正面図である。また、図２（ｂ）は、連結部７側の側面の側面図である。さらに、図２（ｃ）は、連結部７が設けられている側とは反対側の側面の側面図である。
図２（ａ）のように、カード処理装置１は正面から見ると長方形形状を有している。
そして、蝶番に類する機能を有する連結部７が短手方向位置に配置されている。
この連結部７が配置されている位置とは反対側の短手方向の蓋部３の部分が大きく動いて開閉動作を行う。
図２（ｂ）のように、ケース５にはＵＳＢインターフェース１４が設けられている。
このＵＳＢインターフェース１４にＵＳＢコード１５が連結されて、メモリーカード１０１と各種の電子機器が情報通信・電力供給等が行われる。
図２（ｃ）のように、ケース５にはスロット部１３が設けられている。
【００２０】
図３は、蓋部３を除去したケース５の正面図である。
【００２１】
図３のように、ケース５の蓋部３と接合する側の面には、テーブル部９が設けられている。
そして、このテーブル部９には、複数のメモリーカード１０１に対応する複数の収納部１１が設けられている。
具体的には、収納部１１は、対応するメモリーカード１０１よりも摺動方向に長く形成されている（図４参照のこと）。
また、収納部１１には、メモリーカード１０１が収納部１１に挿入され、蓋部３が摺動方向に移動した閉状態となったときに、メモリーカード１０１のメモリーカード側端子１０３と接触可能な、カード処理装置側端子１７を有する。
このカード処理装置側端子１７は、収納部１１における摺動方向の連結部７側の位置に配置されている。
もっとも、このカード処理装置側端子１７の位置は、各収納部１１が収納する各メモリーカード１０１のメモリーカード側端子１０３の位置に対応している必要がある。
さらに、収納部１１の摺動方向の連結部７側の位置には、取出し溝１９が配置されている。
この取出し溝１９は、収納部１１に収納されているメモリーカード１０１を取り出す為のものである。
取出し溝１９は、球又は楕円体を４等分した形状を有している。もっとも、この形状に限定する趣旨ではない。
この取出し溝１９にユーザは指を挿入して、メモリーカード１０１を外部側に引き出すことによって、メモリーカード１０１を収納部１１から取り出す。
【００２２】
図４は、図３のテーブル部９にメモリーカード１０１が挿入された状態を説明する説明図である。
【００２３】
図４では、複数ある収納部１１のうち１つにメモリーカード１０１が挿入されている。
もっとも、複数のメモリーカード１０１を同時に挿入することも可能である。
図４のように、収納部１１の形状は、対応するメモリーカード１０１と略同一の形状を有するが、メモリーカード１０１を連結部７方向に摺動可能とするために、摺動方向にメモリーカード１０１よりも長く構成されている。
このように収納部１１がメモリーカード１０１よりも長く構成されていることによって、メモリーカード１０１は、蓋部３の中間状態から閉状態へとの移動に応じて同様の方向に移動する（図５も参照のこと）。
また、メモリーカード１０１が摺動移動することによって、メモリーカード１０１のメモリーカード側端子１０３とカード処理装置側端子１７とが接合、及び非接合状態となる。
なお、場合によっては、メモリーカード１０１のメモリーカード側端子１０３とカード処理装置側端子１７とが中間状態においても接合状態となってもよい。
【００２４】
図５は、図４のＶ−Ｖにおける断面図である。
【００２５】
図５（ａ）は、カード処理装置１の開状態の断面図である。図５（ｂ）は、カード処理装置１の中間状態の断面図である。図５（ｃ）は、カード処理装置１の閉状態の断面図である。
図５（ａ）のように、カード処理装置１の蓋部３とケース５とは連結部７によって結合されている。
そして、蓋部３とケース５とが接合する側のケース５の面には、テーブル部９が配置されている。そして、テーブル部９の内部側には、基板２１が配置されている。
基板２１の内部方向には、さらに、ＵＳＢインターフェース１４及びスロット部１３が配置されている。
また、蓋部３には、メモリーカード押出部２２及びメモリーカード押え部２４が設けられている。
このメモリーカード押出部２２は、中間状態から閉状態へ遷移する際に、メモリーカード１０１を押し出して、メモリーカード１０１を収納部１１内で連結部７側に移動させる機能を有する。
また、メモリーカード押え部２４は、メモリーカード１０１が収納部１１から浮き上がるのを防ぐ機能を有する。
テーブル部９には、図３及び図４のところで説明したように、収納部１１及び取出し溝１９が形成されている。
さらに、収納部１１には、カード処理装置側端子１７が突出している。このカード処理装置側端子１７は、弾性力を有しており、外力によって、内部側方向に撓むことが可能である。
このカード処理装置側端子１７、スロット部１３、ＵＳＢインターフェース１４は、基板２１に機械的・電気的に連結している。
【００２６】
この図５（ａ）の開状態において、蓋部３を、連結部７を中心に回転させて蓋部３をケース５に当接させると図５（ｂ）の中間状態となる。
この図５（ｂ）の状態においては、蓋部３とケース５は当接しているが、蓋部３は連結部７とは反対側位置に張り出している。
蓋部３のメモリーカード押出部２２は、収納部１１において連結部７とは反対側位置に位置するメモリーカード１０１の後端部に当接している。
さらに、メモリーカード押え部２４は、メモリーカード１０１が蓋部３の開方向に移動しないように押さえている。
【００２７】
図５（ｂ）の状態において、蓋部３を連結部７の方向に摺動させることによって、図５（ｃ）の閉状態となる。
この蓋部３の摺動より、蓋部３のメモリーカード押出部２２がメモリーカード１０１を押して、メモリーカード１０１を収納部１１の連結部７側に摺動させる。
そして、メモリーカード１０１が収納部１１の連結部７側に移動したことによって、メモリーカード側端子１０３とカード処理装置側端子１７とが電気的に接合する。
そして、この状態において、メモリーカード１０１への情報信号の入出力・電力供給が行われる。
【００２８】
図６は、連結部７を説明する説明図である。
【００２９】
図６は、カード処理装置１が中間状態にある状態を記載したものである。
図６のように、連結部７は、蓋部３に設けられた蓋部連結用張出部３ａ、ケース５に設けられたケース連結用張出部５ａ、ケース側連結棒７ａ、蓋部側連結棒７ｂ及びリンク７ｃから構成されている。
蓋部３の一部を成す蓋部連結用張出部３ａとリンク７ｃとはケース連結用張出部５ａによって、回転可能に形成されている。
また、ケース５の一部を成すケース連結用張出部５ａとリンク７ｃとはケース連結用張出部５ａによって、回転可能に形成されている。
中間状態から閉状態に移行する際には、リンク７ｃが図６の状態からケース側連結棒７ａを中心に移動する（図５（ｃ）の連結部７の位置も参照のこと）。
なお、この移動に伴い、蓋部３は、ケース５にケース５側の面の全てが当接した状態から、この面の連結部７側が浮いた状態（外部側方向に移動した状態）になり、再び、ケース５にケース５側の面の全てが当接した状態となる。
本実施形態における、摺動にはこのように、横方向に移動している際に一時的に当接しなくなり、再び当接することを含むものである。
さらになお、連結部７の機構は一例であり、様々なリンク機構や、構造によって同様の機能を果たすことが可能である。
つまり、この面の連結部７側が浮いた状態（外部側方向に移動した状態）にならずに、そのまま摺動（スライド）する様な機構で有っても良く、例えば、回転穴を楕円等にすることも可能である。
また、図６よりも、さらに複雑な機構であっても良い。
【００３０】
図７は、本発明の効果の説明図である。
【００３１】
図７（ａ）及び図７（ｂ）は、従来のメモリーカード側端子１０３とカード処理装置側端子１７との間の接合状態での問題点を説明する説明図である。
図７（ａ）のように、カード処理装置側端子１７（又はメモリーカード側端子１０３）にホコリ、ゴミ、油等の絶縁性の物質が存在する場合に、単純に、メモリーカード側端子１０３を接合すると、図７（ｂ）のような状態となるおそれがある。
つまり、カード処理装置側端子１７とメモリーカード側端子１０３との接合ができない又は不完全となり、情報通信又は電力の供給ができない又は不安定となる可能性がある。
一方、図７（ｃ）に記載した本実施形態のように、メモリーカード１０１をカード処理装置側端子１７に対して摺動させると、絶縁性の物質を押し出して図７（ｄ）のような状態とすることができる。つまり、セルフクリーニング効果を発揮させることができる。
本実施形態では、このように、セルフクリーニング効果を発揮させることができるので、通信・電力供給を安定的に行うことが可能となる。
【００３２】
図８は、カード処理装置１の信号処理系を示すブロック図である。
【００３３】
図８に示されるように、カード処理装置１は、制御・処理の中枢である制御部５７と、ＵＳＢインターフェース１４と、各カード処理装置側端子１７のそれぞれが、アドレス、データ、コントロールのためのラインが複数本からなるシステムバス５８に共通に接続され、構成される。
なお、スロット部１３もシステムバス５８に接続されている。
【００３４】
複数のカード処理装置側端子１７は、メモリーカード１０１と電気的に接続されている。
ここで、カード処理装置側端子１７は、メモリーカード１０１との情報通信信号の入出力のみならず、メモリーカード１０１へ電力の供給等も行っている。
【００３５】
ＵＳＢインターフェース１４は、ＵＳＢコード１５を介して、各種の電子機器と電気的に接続される。
ＵＳＢインターフェース１４は、各種の電子機器と情報通信信号の入出力を行い、さらに、各種の電子機器から電力の供給を受ける。
具体的には、電源供給を受ける第１の端子及び第２の端子と、情報信号の入出力を行う第３の端子及び第４の端子を有する。
【００３６】
制御部５７は、カード処理装置側端子１７へのメモリーカード１０１の接続の有無、ＵＳＢインターフェース１４が各種の電子機器に接続されているか等を検出する。
そして、制御部５７は、各種の電子機器から受ける命令信号に基づいてメモリーカード１０１に情報の記録又は読み出しを行う。
【００３７】
また、制御部５７は、カード処理装置１が開状態、中間状態又は閉状態のいずれであるかを検出することが可能に構成されている。
具体的には、たとえば、スイッチ等による蓋部３の位置を検出することによって、カード処理装置１の状態（開状態、中間状態又は閉状態）を検出することができる。
そして、その状態（開状態、中間状態又は閉状態）並びに状態変化に応じて各種の処理を行う。
たとえば、開状態から中間状態への変化を検出してカード処理装置１の電源のＯＮを行い、さらに、中間状態から閉状態に移行したことを検出して、メモリーカード１０１との情報通信を自動的に開始する。
また、たとえば、閉状態から中間状態への変化を検出して、情報通信及び電力供給を中止する等の処理を行っても良い。
さらに、たとえば、開状態から中間状態への変化を検出して各種の電子機器との通信を開始するようにしても良い。
【００３８】
図９は、より好適なカード処理装置側端子１７の配置の説明図である。
【００３９】
図９（ａ）のように、収納部１１に配置される複数のカード処理装置側端子１７をメモリーカード１０１が摺動する方向にずらして配置する。
この配置は、図９（ａ）のように収納部１１の短手方向（摺動方向とは直角方向）に進むに従って秩序だって摺動方向に徐々にずらして配置しても良いし、ランダムにずらして配置しても良い。
そして、この収納部１１にメモリーカード１０１を挿入する。
なお、図９（ｂ）は、収納部１１にメモリーカード１０１を挿入した時の説明図である。
好適には、メモリーカード１０１との接地に用いられる端子、その後に、メモリーカード１０１への電源供給に用いられる端子、さらにその後に、メモリーカード１０１との情報通信に用いられる端子、がメモリーカード側端子１０３と接触するように構成する。
つまり、接地に用いられる端子、電源供給に用いられる端子、情報通信に用いられる端子の順に連結部７とは反対側の位置から順に配置される。
このように構成することによって、接地、電源、信号の接続の順で行われ、メモリーカード１０１との接続を安定して行うことが可能となる。
つまり、接地電位をまずは確定し、その後、電源から電力を供給して回路を安定させ、その後、情報信号を通信するという順序を守ることを物理的に行うことが可能となる。
そして、これらの処理を行った後に、カード処理装置１はメモリーカード１０１というメディアの検出を行う。
【００４０】
＜２．カード処理装置１の第２の実施形態の説明＞
図１０は、カード処理装置１の第２の実施形態の説明図である。
【００４１】
第１の実施形態と図１０で示されている第２の実施形態との違いは、第１の実施形態ではテーブル部９は摺動移動せず固定されていたが、第２の実施形態ではテーブル部９が摺動移動する点である。
つまり、図１０のテーブル部９とメモリーカード１０１とは摺動移動せず、メモリーカード１０１と一体化したテーブル部９全体が摺動移動して、ケースに固定されたカード処理装置側端子１７に対して相対移動する。
なお、カード処理装置側端子１７は基板２１に固定されており、基板２１はケース５に固定されている。
そして、カード処理装置側端子１７は、収納部１１に形成された端子溝部１８から収納部１１に突出している。
また、基板２１にＵＳＢインターフェース１４及びスロット部１３も固定されている。
カード処理装置１が中間状態及び開状態にある時に、テーブル部９を連結部７とは反対側位置に移動させるためのバネ部２３が配置されている。
【００４２】
図１０のように、蓋部３には押出用溝部３ｂが形成されており、テーブル部９には押出用突起部９ａが形成されている。
そして、カード処理装置１が閉状態及び中間状態となった場合には、この押出用溝部３ｂに押出用突起部９ａが挿入された状態となる。
中間状態から閉状態への移行時には、押出用溝部３ｂの側壁が押出用突起部９ａの側壁を押すことによって、テーブル部９が連結部７方向に摺動する。
【００４３】
図１１は、第２の実施形態におけるカード処理装置１の動作の説明図である。
【００４４】
図１１は基本的には図５と同一であるので、同一の点は説明を省略する。
図１１（ａ）のように、開状態（蓋部３が開いた状態）では、バネ部２３の弾性力により、テーブル部９は連結部７とは反対側に移動している。
この開状態から図１１（ｂ）の中間状態となると、押出用溝部３ｂに押出用突起部９ａが収納される。
そして、この中間状態から図１１（ｃ）の閉状態となる際に、蓋部３を連結部７方向に摺動移動すると、押出用溝部３ｂの側壁が押出用突起部９ａの側壁を押して、テーブル部９を連結部７側に摺動移動させる。
【００４５】
図１２は、第２の実施形態におけるカード処理装置１の動作の説明図である。
図１２（ａ）のようにテーブル部９には、収納部１１が配置されている。なお、この第２の実施形態では、メモリーカード１０１はテーブル部９に対しては相対移動しないため、収納部１１の形状は、対応するメモリーカード１０１とほぼ同一の形状を有している。
閉状態とするとテーブル部９は図１２（ｂ）のように、連結部７の方向に移動する。これによって、バネ部２３は圧縮される。
【００４６】
＜第２の実施形態の変形例＞
図１３は、第２の実施形態の変形例の説明図である。
【００４７】
前述した第２の実施形態と異なる点は、テーブル部９にカード処理装置側端子収納部２５を設けている点である。
このカード処理装置側端子収納部２５は、テーブル部９の内部側（基板２１側）に、空間として設けられている。
また、カード処理装置側端子収納部２５は収納部１１の連結部７方向に設けられており、カード処理装置側端子収納部２５の一部が収納部１１と連通している。
このカード処理装置側端子収納部２５に収納されるカード処理装置側端子１７は、テーブル部９が連結部７方向に移動する（閉状態となる）ことによって、収納部１１内に露出することになる。
【００４８】
図１４は、図１３の第２の実施形態の変形例の一例を具体的に説明する図である。
【００４９】
図１４のように、テーブル部９には収納部１１が形成されている。
この収納部１１の内部側には、テーブル部９が連結部７側に移動してカード処理装置側端子１７が収納部１１内に移動して来た場合に、カード処理装置側端子１７を受け入れる端子溝部１８が形成されている。
端子溝部１８は、収納部１１の内部側で、かつ、収納部１１の連結部７側に設けられる。
また、カード処理装置側端子収納部２５は、収納部１１の連結部７側で、かつ、内部側位置に設けられている。
そして、テーブル部９が開状態又は中間状態においては図１４（ａ）のように、カード処理装置側端子１７は、カード処理装置側端子収納部２５内に収納される。
他方、テーブル部９が閉状態においては図１４（ｂ）のように、カード処理装置側端子１７は、カード処理装置側端子収納部２５から出て端子溝部１８に存在する。
このように、閉状態となると、カード処理装置側端子１７は収納部１１に露出する。
そして、カード処理装置側端子１７は収納部１１に露出した場合に、メモリーカード１０１が収納部１１に存在しているときには、カード処理装置側端子１７はメモリーカード１０１のメモリーカード側端子１０３と電気的に接続される。
なお、第２の実施形態ではテーブル部９が移動する場合であったが、後述するように、カード処理装置側端子１７とメモリーカード側端子１０３とが相対的に移動する場合であれば、どのような場合であっても、この方法を利用することができる。
このように構成したことによって、開状態である時にカード処理装置側端子１７が、毀損することを防ぐことができる。
つまり、メモリーカード１０１を収納部１１に挿入する際にカード処理装置側端子１７を毀損すること、開状態においてユーザ等が触れてカード処理装置側端子１７を毀損すること、カード処理装置側端子１７にホコリ等が付着することを防ぐことが可能となる。
【００５０】
＜３．カード処理装置１の第３の実施形態の説明＞
図１５は、カード処理装置１の第３の実施形態の説明図である。
【００５１】
第１の実施形態及び第２の実施形態と図１５で示されている第３の実施形態との違いは、テーブル部９にスライドトレー部２９が設けられている点である。
つまり、第３の実施形態ではテーブル部９は摺動移動せず固定されておいり、メモリーカード１０１をカード処理装置側端子１７に対して摺動させるのは、メモリーカード１０１を収納したスライドトレー部２９が摺動することによる。
なお、カード処理装置側端子１７は基板２１に固定されており、基板２１はケース５に固定されている。
また、基板２１にＵＳＢインターフェース１４及びスロット部１３も固定されている。
カード処理装置１が中間状態及び開状態にある時に、テーブル部９を連結部７とは反対側位置に移動させるためのバネ部２３が配置されている。
【００５２】
図１５のように、蓋部３には押出用溝部３ｂが形成されており、スライドトレー部２９には押出用板２９ａが形成されている。
そして、カード処理装置１が閉状態及び中間状態となった場合には、この押出用溝部３ｂに押出用板２９ａが挿入された状態となる。
中間状態から閉状態への移行時には、押出用溝部３ｂの側壁が押出用板２９ａを押すことによって、スライドトレー部２９が連結部７方向に摺動する。
【００５３】
図１６は、第３の実施形態におけるカード処理装置１の動作の説明図である。
【００５４】
図１６は基本的には図５及び図１１と同一であるので、同一の点は説明を省略する。
図１６（ａ）のように、開状態（蓋部３が開いた状態）では、バネ部２３の弾性力により、スライドトレー部２９は連結部７とは反対側に移動している。
この開状態から図１６（ｂ）の中間状態となると、押出用溝部３ｂに押出用板２９ａが収納される。
そして、この中間状態から図１６（ｃ）の閉状態となる際に、蓋部３を連結部７方向に摺動移動すると、押出用溝部３ｂの側壁が押出用板２９ａを押して、スライドトレー部２９を連結部７側に摺動移動させる。
【００５５】
図１７は、第３の実施形態におけるカード処理装置１の動作の説明図である。
図１７（ａ）のようにテーブル部９には、収納部１１が配置されている。なお、この第３の実施形態では、メモリーカード１０１は収納部１１内を移動しないため、収納部１１の形状は、対応するメモリーカード１０１とほぼ同一の形状を有している。
閉状態とするとスライドトレー部２９は図１７（ｂ）のように、連結部７の方向に移動する。これによって、バネ部２３は圧縮される。
なお、この第３の実施形態に図１３のように、カード処理装置側端子収納部２５を設けることも当然に可能である。
【００５６】
＜４．カード処理装置１の第４の実施形態の説明＞
図１８は、第４の実施形態の説明図である。
【００５７】
図１８のように、メモリーカード１０１を衝動移動するのではなく、カード処理装置側端子１７を摺動移動することも可能である。
その方法は、図１８のように、蓋部３に蓋部押出用突起部３ｃによってカード処理装置側端子１７を摺動させる。
なお、図１８の方法はあくまで一例であり、カード処理装置側端子１７摺動移動させることができるものであればどのようなものであっても良い。
なお、この第４の実施形態に図１３のように、カード処理装置側端子収納部２５を設けることも当然に可能である。
【００５８】
＜５．カード処理装置１の第５の実施形態の説明＞
図１９は、第５の実施形態の説明図である。
【００５９】
テーブル部９の移動は、図１９のように、蓋部３に第１蓋部押出部３ｄ及び第２蓋部押出部３ｅを設けて、図１９（ａ）及び図１９（ｂ）のような方法によって行うことも可能である。
【００６０】
＜６．カード処理装置１の第６の実施形態の説明＞
図２０は、第６の実施形態の説明図である。
【００６１】
以上の方法では蓋部３を有していたが、本発明の本質は、メモリーカード１０１のメモリーカード側端子１０３とカード処理装置１のカード処理装置側端子１７とを相対的に摺動移動させることであるから、図２０の方法を用いることも可能である。
つまり、テーブル部９を引き出し式にすることも可能である。
【００６２】
＜７．カード処理装置１の第７の実施形態の説明＞
図２１は、第７の実施形態の説明図である。
【００６３】
また、蓋部３を有していても蓋部３の開閉方向は必ずしも図１のように上方向である必要はなく、たとえば、図２１のように、横方向に開いてもよい。
【００６４】
以上の実施形態によれば、本発明のカード処理装置１は、メモリーカード１０１を出し入れ可能な開状態と、メモリーカード１０１の出し入れができない閉状態との２つの状態を有している。
また、開状態において、メモリーカード１０１のメモリーカード側端子１０３との接触状態が第１の接触状態となり、閉状態において、メモリーカード１０１のメモリーカード側端子１０３と接触状態が第２の接触状態となるカード処理装置側端子１７を有している。
そして、第２の接触状態において、少なくともメモリーカード１０１と接続状態である。
さらに、開状態と閉状態間の状態変化によって、メモリーカード１０１又はカード処理装置側端子１７を移動させる。
以上のような構成を有していることによって、メモリーカード１０１を保護することが可能となる。
つまり、開状態においてのみユーザはメモリーカード１０１を抜き差し可能となる。
そして、このことによって、閉状態（データ通信を行っている場合が多い）においてメモリーカード１０１が不用意に抜き差しされることや、衝撃等が加わりデータ通信に不都合や、メモリーカード１０１のデータの毀損を防ぐことが可能となる。
さらに、メモリーカード１０１のメモリーカード側端子１０３とカード処理装置１のカード処理装置側端子１７とが、相対的に移動することになるので、セルフクリーニングを可能とすることができる。
そして、セルフクリーニングが行われたことによって、データ通信の安定性が向上するという効果もある。
【００６５】
ケース５と、ケース５に設けられた蓋部３と、を有している。
そして、蓋部３がケース５と離間してメモリーカード１０１を出し入れ可能な開位置をとることによって開状態となり、ケース５と密着してメモリーカード１０１を出し入れ不可能な閉位置をとることによって閉状態となる。
このような構成、つまり、蓋部３を開閉してメモリーカード１０１を出し入れする構成としたことによって、メモリーカード１０１を保護することができる。
つまり、蓋部３を閉めることによって、メモリーカード１０１に対してユーザが直接アクセスすることが出来なくなり、これによって、メモリーカード１０１を保護することが可能となる。
さらに、蓋部３を開け閉めと情報通信の可否を対応させることによって、人間の直感に合致した操作性を持たせることが可能となる。
【００６６】
ケース５は、メモリーカード１０１を載置可能な収納部１１を含むテーブル部９を有している。
また、テーブル部９の収納部１１には、メモリーカード１０１のメモリーカード側端子１０３と接触するカード処理装置側端子１７が挿入される端子溝部１８が形成されている。
そして、収納部１１は、メモリーカード１０１を一定方向に摺動して往復動可能とするためにメモリーカード１０１よりも摺動方向に長く形成されている。
また、蓋部３が開状態から閉状態へと遷移することによって、メモリーカード１０１を第１の方向（連結部７の方向）に摺動させ、蓋部３が閉状態から開状態へと遷移することによって、メモリーカード１０１を第１の方向とは反対である第２の方向に摺動させる。
そして、カード処理装置側端子１７は、メモリーカード１０１が摺動によって移動することによって、端子溝部１８を相対的に摺動する。
また、メモリーカード１０１が第１の方向に摺動したことによって、メモリーカード側端子１０３と第２の接触状態（情報通信を行う状態）となる。
さらに、カード処理装置側端子１７は、メモリーカード１０１が第２の方向に摺動したことによって、メモリーカード側端子１０３と第１の接触状態（情報通信を行わない状態）となる。
このように構成したことによって、容易な構成によって、メモリーカード１０１のメモリーカード側端子１０３とカード処理装置１のカード処理装置側端子１７とを相対的に移動することが可能になる。
つまり、このような構成としたことによって、カード処理装置１内のテーブル部９を摺動させる必要がないことから、より簡単な構成とすることが可能である。
【００６７】
開状態と閉状態との間に中間状態とを有し、中間状態は、蓋部３がケース５に密着しているが、メモリーカード１０１のメモリーカード側端子１０３との接触状態が第１の接触状態である。
そして、蓋部３を摺動させて第１の方向に摺動させることによって、メモリーカード１０１のメモリーカード側端子１０３との接触状態が第１の接触状態から第２の接触状態に遷移する。
このような構成としたことによって、より確実に、メモリーカード１０１のメモリーカード側端子１０３とカード処理装置１のカード処理装置側端子１７とを相対的に移動することが可能になる。
【００６８】
蓋部３には、メモリーカード１０１を押し出す蓋部押出用突起部が設けられている。
そして、蓋部押出用突起部３ｃは、蓋部３が中間状態から閉状態への摺動移動によって、メモリーカード１０１に当接して摺動方向に押し出す。
このような構成を有することから、メモリーカード１０１を収納部１１内に位置させつつ、移動させることができる。
【００６９】
ケース５は、メモリーカード１０１を載置可能な収納部１１を含むテーブル部９を有している。
また、テーブル部９の収納部１１には、メモリーカード１０１のメモリーカード側端子１０３と接触するカード処理装置側端子１７が挿入される端子溝部１８が形成されている。
そして、テーブル部９は、一定方向に摺動して往復動可能に形成され、蓋部３が開状態から閉状態へと遷移することによって第１の方向に摺動し、蓋部３が閉状態から開状態へと遷移することによって第１の方向とは反対である第２の方向に摺動する。
さらに、カード処理装置側端子１７は、テーブル部９が摺動によって移動することによって、端子溝部１８を相対的に摺動する。
そして、テーブル部９が第１の方向に摺動したことによって、メモリーカード側端子１０３と第２の接触状態（情報通信を行う状態）となる。
また、テーブル部９が第２の方向に摺動したことによって、メモリーカード側端子１０３と第１の接触状態（情報通信を行わない状態）となる。
このように構成したことによって、容易な構成によって、メモリーカード１０１のメモリーカード側端子１０３とカード処理装置１のカード処理装置側端子１７とを相対的に移動することが可能になる。
【００７０】
開状態と閉状態との間に中間状態とを有している。
また、中間状態は、蓋部３がケース５に密着しているが、メモリーカード１０１のメモリーカード側端子１０３との接触状態が第１の接触状態である。
そして、蓋部３を摺動させて第１の方向に摺動させることによって、メモリーカード１０１のメモリーカード側端子１０３との接触状態が第１の接触状態から第２の接触状態に遷移する。
このような構成としたことによって、より確実に、メモリーカード１０１のメモリーカード側端子１０３とカード処理装置１のカード処理装置側端子１７とを相対的に移動することが可能になる。
【００７１】
テーブル部９は、収納部１１に隣接して設けられたカード処理装置側端子収納部２５を有している。
また、カード処理装置側端子１７は、開状態では、収納部１１に隣接して設けられたカード処理装置側端子収納部２５内に位置している。
そして、カード処理装置側端子１７は、メモリーカード１０１のメモリーカード側端子１０３との接触状態が第１の接触状態（情報通通信を行わない状態）となる。
また、カード処理装置側端子１７は開状態から閉状態に遷移するとカード処理装置側端子収納部２５内から摺動移動して収納部１１内に移動して、メモリーカード１０１のメモリーカード側端子１０３との接触状態が第２の接触状態（情報通信を行う状態）となる。
このように構成したことによって、開状態である時にカード処理装置側端子１７が、毀損することを防ぐことができる。
つまり、メモリーカード１０１を収納部１１に挿入する際にカード処理装置側端子１７を毀損すること、開状態においてユーザ等が触れてカード処理装置側端子１７を毀損すること、カード処理装置側端子１７にホコリ等が付着することを防ぐことが可能となる。
【００７２】
ケース５は、メモリーカード１０１を載置可能な収納部１１を含むスライドトレー部２９を摺動可能に保持するテーブル部９を有している。
また、スライドトレー部２９の収納部１１には、メモリーカード１０１のメモリーカード側端子１０３と接触するカード処理装置側端子１７が挿入される端子溝部１８が形成されている。
そして、スライドトレー部２９は、一定方向に摺動して往復動可能に形成されており、蓋部３が開状態から閉状態へと遷移することによって、スライドトレー部２９を第１の方向に摺動させる。
また、スライドトレー部２９は、蓋部３が閉状態から開状態へと遷移することによって、スライドトレー部２９を第１の方向とは反対である第２の方向に摺動させる。
そして、カード処理装置側端子１７は、スライドトレー部２９が摺動によって移動することによって、端子溝部１８を相対的に摺動する。
その結果、カード処理装置側端子１７は、スライドトレー部２９が第１の方向に摺動したことによって、メモリーカード側端子１０３と第２の接触状態（情報通信を行う状態）となる。
また、カード処理装置側端子１７は、スライドトレー部２９が第２の方向に摺動したことによって、メモリーカード側端子１０３と第１の接触状態（情報通信を行わない状態）となる。
このように構成したことによって、容易な構成によって、メモリーカード１０１のメモリーカード側端子１０３とカード処理装置１のカード処理装置側端子１７とを相対的に移動することが可能になる。
【００７３】
開状態と閉状態との間に中間状態とを有し、中間状態は、蓋部３がケース５に密着しているが、メモリーカード１０１のメモリーカード側端子１０３との接触状態が第１の接触状態である。
また、蓋部３を摺動させて第１の方向に摺動させることによって、メモリーカード１０１のメモリーカード側端子１０３との接触状態が第１の接触状態から第２の接触状態に遷移する。
このような構成としたことによって、より確実に、メモリーカード１０１のメモリーカード側端子１０３とカード処理装置１のカード処理装置側端子１７とを相対的に移動することが可能になる。
【００７４】
テーブル部９は、収納部１１に隣接して設けられたカード処理装置側端子収納部２５を有している。
また、カード処理装置側端子１７は、開状態では、収納部１１に隣接して設けられたカード処理装置側端子収納部２５内に位置して、メモリーカード１０１のメモリーカード側端子１０３との接触状態が第１の接触状態（情報通信を行わない状態）となる。
カード処理装置側端子１７は開状態から閉状態に遷移すると、カード処理装置側端子収納部２５内から摺動移動して収納部１１内に移動し、メモリーカード１０１のメモリーカード側端子１０３との接触状態が第２の接触状態（情報通信を行う状態）となる。
このように構成したことによって、開状態である時にカード処理装置側端子１７が、毀損することを防ぐことができる。
つまり、メモリーカード１０１を収納部１１に挿入する際にカード処理装置側端子１７を毀損すること、開状態においてユーザ等が触れてカード処理装置側端子１７を毀損すること、カード処理装置側端子１７にホコリ等が付着することを防ぐことが可能となる。
【００７５】
ケース５は、メモリーカード１０１を載置可能な収納部１１を含むテーブル部９を有している。
また、テーブル部９の収納部１１には、メモリーカード１０１のメモリーカード側端子１０３と接触するカード処理装置側端子１７が挿入される端子溝部１８が形成されている。
そして、カード処理装置側端子１７は、一定方向に摺動して往復動可能に形成されており、蓋部３が開状態から閉状態へと遷移することによって、カード処理装置側端子１７を第１の方向に摺動させる。
さらに、カード処理装置側端子１７は、蓋部３が閉状態から開状態へと遷移することによって、カード処理装置側端子１７を第１の方向とは反対である第２の方向に摺動させる。
また、カード処理装置側端子１７は、カード処理装置側端子１７が摺動によって移動することによって、端子溝部１８を相対的に摺動する。
そして、カード処理装置側端子１７は、カード処理装置側端子１７が第１の方向に摺動したことによって、メモリーカード側端子１０３と第２の接触状態（情報通信を行う状態）となる。
さらに、カード処理装置側端子１７は、カード処理装置側端子１７が第２の方向に摺動したことによって、メモリーカード側端子１０３と第１の接触状態（情報通信を行わない状態）となる。
このように構成したことによって、容易な構成によって、メモリーカード１０１のメモリーカード側端子１０３とカード処理装置１のカード処理装置側端子１７とを相対的に移動することが可能になる。
【００７６】
カード処理装置１は、ケース５と、ケース５に設けられ、ケース５から引き出し可能に形成されたテーブル部９と、を有している。
また、テーブル部９がケース５から引き出されてメモリーカード１０１を出し入れ可能な開位置をとることによって開状態となり、ケース５内に押し込まれてメモリーカード１０１を出し入れ不可能な閉位置をとることによって閉状態となる。
このように構成したことによって、容易な構成によって、メモリーカード１０１のメモリーカード側端子１０３とカード処理装置１のカード処理装置側端子１７とを相対的に移動することが可能になる。
【００７７】
メモリーカード側端子１０３又はカード処理装置側端子１７の複数の端子は、第１の方向にずれて配置されている。
このように構成することによって、接地、電源、信号の接続この順で行われ、メモリーカード１０１との接続を安定して行うことが可能となる。
つまり、接地電位をまずは確定し、その後、電源から電力を供給して回路を安定させ、その後、情報信号を通信するという順序を守ることを物理的に行うことが可能となる。
【００７８】
本発明において、メモリーカード１０１は記憶機器の一例である。つまり、記憶機能を有するものであればどのようなものであっても良く、記憶機能以外の機能が主たる機能である装置も記憶機器に該当する。また、記憶機器は、平板形状（カード形状）を想定して実施形態を記載しているが、必ずしもカード形状でなくても良い。
また、開状態においては本発明の第１の接触状態の一例であり、閉状態は本発明の第２の接触状態の一例である。
さらに、ケース５の連結部７がある方向が本発明の第１の方向に該当し、その反対方向が本発明の第２の方向に該当する。
【００７９】
本発明は、以上の実施形態に限定されず、種々の態様で実施されてよい。
【符号の説明】
【００８０】
１…カード処理装置、３…蓋部、３ａ…蓋部連結用張出部、３ｂ…押出用溝部、３ｃ…蓋部押出用突起部、３ｄ…第１蓋部押出部、３ｅ…第２蓋部押出部、５…ケース、５ａ…ケース連結用張出部、７…連結部、７ａ…ケース側連結棒、７ｂ…蓋部側連結棒、７ｃ…リンク、９…テーブル部、９ａ…押出用突起部、１１…収納部、１３…スロット部、１４…ＵＳＢインターフェース、１５…ＵＳＢコード、１７…カード処理装置側端子、１８…端子溝部、１９…取出し溝、２１…基板、２２…メモリーカード押出部、２３…バネ部、２４…メモリーカード押え部、２５…カード処理装置側端子収納部、２９…スライドトレー部、２９ａ…押出用板…制御部、５８…システムバス、１０１…メモリーカード（記憶機器）、１０３…メモリーカード側端子（記憶機器側端子）
【図１】
2011221633.tif 000003
【図２】
2011221633.tif 000004
【図３】
2011221633.tif 000005
【図４】
2011221633.tif 000006
【図５】
2011221633.tif 000007
【図６】
2011221633.tif 000008
【図７】
2011221633.tif 000009
【図８】
2011221633.tif 000010
【図９】
2011221633.tif 000011
【図１０】
2011221633.tif 000012
【図１１】
2011221633.tif 000013
【図１２】
2011221633.tif 000014
【図１３】
2011221633.tif 000015
【図１４】
2011221633.tif 000016
【図１５】
2011221633.tif 000017
【図１６】
2011221633.tif 000018
【図１７】
2011221633.tif 000019
【図１８】
2011221633.tif 000020
【図１９】
2011221633.tif 000021
【図２０】
2011221633.tif 000022
【図２１】
2011221633.tif 000023